(57)【要約】      （修正有）【課題】簡単な操作でダイアルを外筒から露出させ、印字日付の変更を容易に行うことができる等の日付印判を提供すること。【解決手段】日付印判は、印面の日付印字部を変動させるダイアル１７を備える本体１０と、本体１０を支持する内枠体２０と、本体及び内枠体を収容する外筒３０と、外筒内で内枠体に対し弾発力を作用させる弾性部材とを備えている。外筒３０の上部には、キャップ７０によって回動操作されるロータリヘッドが回動可能に嵌合している。本体１０の第一筒部がロータリヘッドの第二筒部に係合することで、本体１０が外筒３０から抜け止めされる。また、キャップ７０を「日付変更ロック解除位置」に操作することで、第一筒部及び第二筒部の係合が外れ、弾性部材の弾発力によって本体１０及び内枠体２０が外筒３０から排出される。これにより、ダイアル１７が操作可能な位置にまで露出する。【選択図】図１７
2019119047.tif 000002
【特許請求の範囲】
【請求項１】
下端部に印面を有し該印面の日付印字部を変動させるダイアルを備える本体と、前記本体を摺動可能に支持する内枠体と、前記本体及び前記内枠体を収容する外筒と、前記外筒内で前記内枠体に対し常時弾発力を作用させる弾性部材とを少なくとも備える日付印判であって、
所定の操作を契機に前記内枠体とともに前記本体を前記外筒から排出して、前記ダイアルを操作可能な位置にまで露出させる日付印判。
【請求項２】
前記弾性部材の弾発力によって前記本体及び前記内枠体が前記外筒から排出される、請求項１に記載の日付印判。
【請求項３】
前記外筒に回動可能に嵌合するロータリヘッドを更に備え、前記本体の第一筒部が前記ロータリヘッドの第二筒部に係合することで前記本体が前記外筒から抜け止めされており、
前記ロータリヘッドを所定位置まで回動操作することにより、前記第一筒部及び前記第二筒部の係合が外れ、前記弾性部材の弾発力によって前記本体及び前記内枠体が前記外筒から排出される、請求項１に記載の日付印判。
【発明の詳細な説明】
【技術分野】
【０００１】
本発明は、ダイアルの回動操作により日付印字部の数字が変更される日付印判に関し、特にダイアルを外筒から露出させて印字日付の変更を行えるように構成された日付印判に関する。
【背景技術】
【０００２】
従来、様々種類の日付印判が広く普及している。一般的な日付印判においては、本体に設けた複数のダイアルの回動操作により、対応する年月日の日付印部の数字が変更される。例えば、特許文献１に開示される印判においては、日付変更を行うためのダイアルが外筒内に格納されている。
【先行技術文献】
【特許文献】
【０００３】
【特許文献１】特許第３７１２４６２号公報
【発明の概要】
【発明が解決しようとする課題】
【０００４】
特許文献１に記載の印判によれば、日付を変更する際に外筒又は本体のどちらかを一方向に回転させてこれらの係合を解除し、そして本体を外筒から引き抜いてダイアルを操作可能な位置にまで露出させる必要があった。
【０００５】
本発明は、簡単な操作でダイアルを外筒から露出させ、ダイアルによる印字日付の変更を容易に行うことができる等の日付印判を提供することを目的としている。
【課題を解決するための手段】
【０００６】
上述した課題を解決するため、本発明は、下端部に印面を有し該印面の日付印字部を変動させるダイアルを備える本体と、前記本体を摺動可能に支持する内枠体と、前記本体及び前記内枠体を収容する外筒と、前記外筒内で前記内枠体に対し常時弾発力を作用させる弾性部材とを少なくとも備える日付印判であって、所定の操作を契機に前記内枠体とともに前記本体を前記外筒から排出して、前記ダイアルを操作可能な位置にまで露出させる日付印判である。
【０００７】
日付印判は、前記弾性部材の弾発力によって前記本体及び前記内枠体が前記外筒から排出されることが好ましい。
【０００８】
また、日付印判は、前記外筒に回動可能に嵌合するロータリヘッドを更に備え、前記本体の第一筒部が前記ロータリヘッドの第二筒部に係合することで前記本体が前記外筒から抜け止めされており、前記ロータリヘッドを所定位置まで回動操作することにより、前記第一筒部及び前記第二筒部の係合が外れ、前記弾性部材の弾発力によって前記本体及び前記内枠体が前記外筒から排出されることが好ましい。
【発明の効果】
【０００９】
本発明によれば、簡単な操作でダイアルを外筒から露出させることができ、これにより印字日付の変更を容易に行うことができる。
【図面の簡単な説明】
【００１０】
【図１】日付印判の外観斜視図である。
【図２】日付印判の正面図である。
【図３】日付印判の分解斜視図である。
【図４】日付印本体の上円筒部断面を上から見た図である。
【図５】内枠体の短円筒部を上から見た図である。
【図６】ロータリヘッドの円筒部を下から見た図である。
【図７】中筒部材を上から見た図である。
【図８】日付印判の縦断面図である。
【図９】（ａ）は初期状態にある日付印判の側面図である。（ｂ）は捺印時の日付印判の側面図である。
【図１０】捺印ロック解除状態にあるロック機構の側面図である。
【図１１】図１０におけるＸＩ−ＸＩ線に沿う横断面図である。
【図１２】図１０において短円筒部及び中筒部材を更に破断して示すロック機構の側面図である。
【図１３】捺印時の日付印判の縦断面図である。
【図１４】捺印ロック状態にある日付印判の側面図である。
【図１５】捺印ロック状態にあるロック機構の側面図である。
【図１６】図１５におけるＸＶＩ−ＸＶＩ線に沿う横断面図である。
【図１７】（ａ）は捺印時の日付印判の側面図である。（ｂ）は日付変更時の日付印判の側面図である。
【図１８】日付変更ロック解除状態にあるロック機構の側面図である。
【図１９】図１８におけるＸＩＸ−ＸＩＸ線に沿う横断面図である。
【図２０】図１８において中筒部材を更に破断して示すロック機構の側面図である。
【図２１】日付変更時の日付印判の縦断面図である。
【発明を実施するための形態】
【００１１】
以下、図面を参照しながら、本発明の好適な実施形態である日付印判１を詳細に説明する。
（日付印判の構造）
図１は、本実施形態による日付印判１の外観斜視図、図２はその正面図である。また、図３は日付印判１の内部構成を説明するための分解斜視図である。これらの図を参照し、日付印判１は、中空略円筒状の外筒３０と、外筒３０内に格納される日付印本体（以下単に「本体」ともいう。）１０と、透明樹脂材からなる筒型カバー部８０と、筒型カバー部８０の前部を開閉可能とする開閉部９０と、外筒３０の上開口部を塞ぐ有底円筒状のキャップ７０とを備えている。
なお、本明細書において「軸方向」とは、日付印判１の中心を上下に貫く方向を意味する。また、本明細書において上下は、日付印判１のキャップ７０側を「上」とし、印面１１が格納される筒型カバー部８０側を「下」として説明がされている。
【００１２】
外筒３０の中には、特に図３に示されるように、本体１０と、本体１０を摺動可能に格納支持する内枠体２０と、外筒３０の上部においてキャップ７０と嵌合するロータリヘッド６０と、ロータリヘッド６０の円筒部６２が挿入される中筒部材４０と、内枠体２０の短円筒部２１及びロータリヘッド６０の皿型フランジ部６１との間に介装されるコイルバネ５０とが組み込まれている。
【００１３】
日付印本体１０は略角筒状の筐体を有し、その筐体から下に延びる角筒部１２の下端部にゴム印面１１が着脱可能に設けられている。ゴム印面１１には、例えば当該日付印判１の使用者の氏名などが刻印される。また、ゴム印面１１は、その印面を横方向に分断するようにして貫通する長孔部１３を有し、その長孔部１３の背後に日付印字部１９Ｄが設けられている。日付印字部１９Ｄが印す年月日は、本体１０の略中央部に設けられる複数のダイアル１７を回動操作することにより、対応する数字が変更される。
【００１４】
本体１０の上部には、上方に延びる上円筒部１４が当該筐体と一体に形成されている。ここで、図４は上円筒部１４の部分を上から見た断面図である。同図に示されるように、本体１０の上円筒部１４の外周部には、軸方向において互いに平行であって、かつ周方向において互いに幅が異なる縦長外溝１４１ａ、１４１ｂ、１４１ｃ、１４１ｄの溝パターンが形成されている。なお、本体１０の上円筒部１４は、後述のロック機構の「第一筒部」に該当する。
【００１５】
上円筒部１４の中心部は空洞となっており、その空洞を貫いて芯体１８が摺動可能に装着されている。芯体１８の上端部にはフランジ部１８ａが形成され、上円筒部１４及びフランジ部１８ａとの間に介装されるコイルバネ１６の弾発力によって、芯体１８が上円筒部１４から常時上方に突出するように付勢されている。なお、本体１０が外筒３０に装着された通常の状態（日付の変更を行わないとき）においては、外筒３０に嵌合するロータリヘッド６０により芯体１８が上円筒部１４内に押し込まれ、日付印字部１９Ｄが長孔部１３の中に入る位置で、ゴム印面１１及び日付印字部１９Ｄの印面同士が一致している。他方、本体１０が外筒３０から排出されると、芯体１８の押さえが開放され、芯体１８に連結する日付印字部１９Ｄが、コイルバネ１６の弾発力により印面１１の長孔部１３から内部に移動する。これにより、ダイアル１７の操作による日付印字部１９Ｄの周回変動が可能となる。
【００１６】
内枠体２０は、特に図３に示されるように、上部の短円筒部２１と、下部の環状端部２２と、短円筒部２１及び環状端部２２を四隅で連結する連結部２３、２３、・・・とを有する樹脂部材からなる。日付印本体１０は、その筐体の四方の角部が連結部２３の内側において摺動可能に支持されている。また、本体１０の角筒部１２は、内枠体２０の環状端部２２の内側で摺動可能に支持されている。そして、本体１０及び内枠体２０の相対的な移動に連動して、上円筒部１４が短円筒部２１の中を往復動し、ゴム印面１１が環状端部２２接近及び離間する方向に往復するように構成されている。また更に内枠体２０は、上円筒部１４の外周部及び環状端部２２の外周部が、外筒３０の内壁部に摺動可能な状態で、外筒３０の中に格納されている。
【００１７】
短円筒部２１の上面部は、コイルバネ５０を受けるバネ受面部２１Ａとなっている。ここで、図５は、短円筒部２１の部分を上から見た図である。同図に示されるように、短円筒部２１の上面部内壁には、周方向に沿って長い上内周溝２１１ａ、２１１ｂが互いに対向して形成されている。また、短円筒部２１の下面部内壁には、下内周溝２１２ａ、２１２ｂが互いに対向して形成されている。上内周溝２１１ａと下内周溝２１２ａとは、周方向において若干位相がずれており、これらの周溝に挟まれる内周位置に縦内溝２１３ａが形成されている。同様に、上内周溝２１１ｂと下内周溝２１２ｂとにより挟まれる内周位置に縦内溝２１３ｂが形成されている。なお、内枠体２０の短円筒部２１は、ロック機構の「第四筒部」に該当する。
【００１８】
ロータリヘッド６０は、外筒３０の上部に回動可能に嵌合される皿型フランジ部６１と、皿型フランジ部６１から軸方向下に延びる円筒部６２とを有し、これらが一体成形された樹脂部材である。ここで、図６は、円筒部６２の部分を下から見た図である。同図に示されるように、円筒部６２の外周面には、軸方向に長い縦長突起部６３ａ、６３ｂが互いに対向する周位置に形成されている。また、円筒部６２の内壁の下端部側には、周方向において互いに幅が異なる内短突起部６４ａ、６４ｂ、６４ｃ、６４ｄが形成されている。内短突起部６４ａ〜６４ｄの突起パターンは、上述の上円筒部１４の縦長外溝１４１ａ〜１４１ｄの溝パターンに対応している。なお、ロータリヘッド６０の円筒部６２は、ロック機構の「第二筒部」に該当する。
【００１９】
中筒部材４０は中空筒状の樹脂部材である。ここで、図７は、中筒部材４０を上から見た図である。同図に示されるように、中筒部材４０の外周面には、軸方向に長い縦長突起部４１ａ、４１ｂが互いに対向して形成されている。また、縦長突起部４１ａ、４１ｂに対応する周位置の内壁に縦内溝４２ａ、４２ｂが形成されている。なお、中筒部材４０は、ロック機構の「第三筒部」に該当する。
【００２０】
次に、日付印判１の内部構造を、主に図８の縦断面図を参照しながら、上述の構成要素部材の組み込み手順とともに説明する。
【００２１】
上述したように本体１０は内枠体２０内に格納されて支持される。その状態で、先ず中筒部材４０が、内枠体２０の短円筒部２１に挿入される。このとき、中筒部材４０は、その縦長突起部４１ａ、４１ｂが短円筒部２１の縦内溝２１３ａ、２１３ｂに嵌合することにより、短円筒部２１の中をスライドしながら通過することができる。また、中筒部材４０は、短円筒部２１に嵌合したスライド位置では回動が規制されるが、短円筒部２１を完全に通過し、本体１０の肩までスライドした位置では回動自在となる。
【００２２】
次に、コイルバネ５０の一端部がロータリヘッド６０の皿型フランジ部６１内に収容される。そして、ロータリヘッド６０の円筒部６２が、本体１０の上円筒部１４及び中筒部材４０の間に挿入される。このとき、ロータリヘッド６０は、その内壁の内短突起部６４ａ〜６４ｄが、本体１０の上円筒部１４の縦長外溝１４１ａ〜１４１ｄに嵌合する位置に回動されることで、本体１０に挿着可能となる。また、中筒部材４０は、その内壁の縦内溝４２ａ、４２ｂが、ロータリヘッド６０の円筒部６２の６３ａ、６３ｂの位置に合うように適宜回動され、これにより円筒部６２が中筒部材４０内にも挿入可能となる。
【００２３】
なお、ロータリヘッド６０の円筒部６２が中筒部材４０に挿入可能なこの回動位置では、中筒部材（第三筒部）４０の縦長突起部４１ａ、４１ｂが、内枠体２０の短円筒部（第四筒部）２１の下内周溝２１２ａ、２１２ｂでブロックされる。その結果、中筒部材４０を挟んで本体１０と内枠体２０との摺動がロックされた状態となる。
【００２４】
このようにロータリヘッド６０の円筒部６２が、本体１０の上円筒部１４及び中筒部材４０の間に挿入された状態でロータリヘッド６０を若干右に回動すると、内短突起部６４ａ〜６４ｄと本体１０の上円筒部１４の縦長外溝１４１ａ〜１４１ｄとの位置がずれ、その結果、ロータリヘッド６０が本体１０から抜け止めされる。そして更にロータリヘッド６０を右に回動し、中筒部材４０の縦長突起部４１ａ、４１ｂが短円筒部２１の縦内溝２１３ａ、２１３ｂに到達した位置では、中筒部材４０と短円筒部２１（内枠体２０）とのロックが解除され、圧縮されたコイルバネ５０の弾発力で内枠体２０がロータリヘッド６０から離間する方向に押し戻される。
【００２５】
この状態で、外筒３０が本体１０及び内枠体２０の印面１１側から装着され、そしてロータリヘッド６０の皿型フランジ部６１が、外筒３０の上部に回動可能に取り付けられる。また、キャップ７０は、ロータリヘッド６０と一体的に回動操作可能となるように、ロータリヘッド６０の凸片部６５に切欠部７１を係合して取り付けられる。
【００２６】
筒型カバー部８０は、その上部が内枠体２０の環状端部２２に嵌合して取り付けられる。また、開閉部９０は、環状端部２２のヒンジ部９３を中心に回動可能に取り付けられる。なお、開閉部９０の内側には、インキパッドホルダ９１が形成されており、非捺印時には開閉部９０が筒型カバー部８０を閉じることにより、インキパッドホルダ９１の中に保持されるインキパッド９２がゴム印面１１に接触し、インキが印面１１に供給される。
【００２７】
（捺印動作）
次に、上述の構成の日付印判１による捺印動作を説明する。ここで、図９（ａ）は初期状態の日付印判１の側面図であり、図９（ｂ）は、捺印時の側面図である。また、図１０は、捺印可能な状態（捺印ロック解除状態）にあるロック機構の部分を示す側面図であって、外筒３０及びロータリヘッド６０の皿型フランジ部６１が破断して示されている。更に図１１は、図１０におけるＸＩ−ＸＩ線に沿う横断面図である。
【００２８】
日付印判１による捺印は、キャップ７０を図９に「捺印」と記された位置（これを「捺印位置」という。）に操作されたときに行うことができる。上述したように、キャップ７０及びロータリヘッド６０は、互いに係合して一体に回動する。特に図１１に示すように、ロータリヘッド６０の円筒部（第二筒部）６２の縦長突起部６３ａ、６３ｂは、中筒部材（第三筒部）４０の縦内溝４２ａ、４２ｂにそれぞれ嵌合している。そのため、キャップ７０が回動操作されると、中筒部材（第三筒部）４０も連動して回動する。
【００２９】
キャップ７０が上述の「捺印位置」では、中筒部材（第三筒部）４０のそれぞれの縦長突起部４１ａ、４１ｂが、内枠体２０の短円筒部（第四筒部）２１の縦内溝２１３ａ、２１３ｂの周位置に一致する。これにより、特に図１０に示すように、縦長突起部４１ａ、４１ｂが、縦内溝２１３ａ、２１３ｂを通過できるようになり、捺印動作が可能となる。
【００３０】
また、図１２は、図１０において短円筒部２１（内枠体２０）及び中筒部材４０を更に破断してロック機構の部分を示す側面図である。同図に示されるように、ロータリヘッド６０の皿型フランジ部６１に収容されたコイルバネ５０の弾発力は、短円筒部２１のバネ受面部２１Ａに作用しているが、ロータリヘッド６０の円筒部（第二筒部）６２内で内短突起部６４ａ〜６４ｄが、日付印本体１０の上円筒部（第一筒部）１４の凸部（縦長外溝１４１ａ〜１４１ｄを除く部分）に係合している。そのために、本体１０及び内枠体２０が、図１２に示す位置において外筒３０から抜け止めされている。
【００３１】
上述したように、キャップ７０が「捺印位置」では、中筒部材（第三筒部）４０と短円筒部（第四筒部）２１（内枠体２０）とが摺動可能な相対的周位置関係にある。また、内枠体２０は、外筒３０に対しても摺動可能であるから、コイルバネ５０の弾発力に抗して外筒３０を下動させることができる。
【００３２】
また、図１３は、外筒３０が下動した時、すなわち捺印時の日付印判１の縦断面図である。筒状カバー部８０の下端を捺印対象面Ｐに押し当て、外筒３０を下動させると、外筒３０に連結するロータリヘッド６０、中筒部材４０及び日付印本体１０も下動する。この際、内枠体２０の環状端部２２のヒンジ部９３が、外筒３０の切欠部３１の中に入り、開閉部９０が前方に開く。これにより本体１０のゴム印面１１及び日付印字部１９Ｄが捺印対象面Ｐに接触し、印影（インキ）が捺印対象面Ｐに転写される。
【００３３】
（捺印ロック動作）
次に、日付印判１の捺印ロック動作を説明する。ここで、図１４は、捺印ロックの操作を説明するための日付印判１の側面図である。また、図１５は、捺印ロック状態にあるロック機構の部分を示す側面図であって、外筒３０及びロータリヘッド６０の皿型フランジ部６１が破断して示されている。更に図１６は、図１５におけるＸＶＩ−ＸＶＩ線に沿う横断面図である。
【００３４】
図１４に示されるように、キャップ７０を「ロック」と記された位置（これを「捺印ロック位置」という。）に回動操作すると、上述したようにロータリヘッド６０の円筒部（第二筒部）６２及び中筒部材（第三筒部）４０も連動して回動する。
【００３５】
キャップ７０が「捺印ロック位置」では、中筒部材（第三筒部）４０のそれぞれの縦長突起部４１ａ、４１ｂが、短円筒部２１（内枠体２０）の上内周溝２１１ａ、２１１ｂの端部に至る（図１６参照）。これにより、縦長突起部４１ａ、４１ｂが、上内周溝２１１ａ、２１１ｂの段部でブロックされ、そのために、外筒３０並びにそれに連結するロータリヘッド６０、中筒部材４０及び日付印本体１０の下動が規制される（特に図１５参照）。
【００３６】
（日付変更のためのロック解除動作）
次に、日付印字部１９Ｄの変更及び設定を可能とするためのロック解除（これを「日付変更ロック解除」という。）の動作を説明する。日付印判１における印字日付の変更は、内枠体２０とともに本体１０を外筒３０から排出して、ダイアル１７を操作可能な位置にまで露出させることにより行われる。ここで、図１７は、日付変更ロック解除の操作を説明するための側面図である。また、図１８は、日付変更ロック解除状態にあるロック機構の部分を示す側面図であって、外筒３０及びロータリヘッド６０の皿型フランジ部６１が破断して示されている。更に図１９は、図１８におけるＸＩＸ−ＸＩＸ線に沿う横断面図である。
【００３７】
図１７に示されるように、外筒３０を下動した状態でキャップ７０を「日付変更」と記された位置（これを「日付変更ロック解除位置」という。）に回動操作すると、ロータリヘッド６０の円筒部（第二筒部）６２及び中筒部材（第三筒部）４０も連動して回動し、中筒部材（第三筒部）４０の縦長突起部４１ａ、４１ｂが、内枠体２０の短円筒部（第四筒部）２１の下内周溝２１２ａ、２１２ｂの端部に至る（図１８及び図１９参照）。これにより、縦長突起部４１ａ、４１ｂが、下内周溝２１２ａ、２１２ｂの段部でブロックされ、そのために、日付印本体１０と内枠体２０との相対移動（摺動）が規制される（特に図１８参照）。
【００３８】
図２０は、図１８において中筒部材４０を更に破断してロック機構の部分を示す側面図である。キャップ７０が上述の「日付変更ロック解除位置」に操作されたときには、ロータリヘッド６０の円筒部（第二筒部）６２の内短突起部６４ａ〜６４ｄの突起パターンと、本体１０の上円筒部（第一筒部）１４の縦長外溝１４１ａ〜１４１ｄの溝パターンが周方向において一致する。したがって、キャップ７０がこの位置に回動操作された瞬間に、日付印本体１０とロータリヘッド６０との係合が外れ、圧縮されたコイルバネ５０の弾発力により、本体１０及び内枠体２０が勢いよく下方に排出される（図２１参照）。これにより、ダイアル１７が操作可能な位置で露出することとなる。
【００３９】
また、外筒３０内では、本体１０がロータリヘッド６０から離れ、芯体１８の押さえが開放される。これにより、芯体１８及びそれに連結する日付印機構（すなわち、ダイアル１７、日付印字ベルト１９など）が、コイルバネ１６の弾発力により本体１０から上方に突出する。同時に、現在設定されている日付印字部１９Ｄが、ゴム印面１１の長孔部１３よりも内部に移動する。
【００４０】
各ダイアル１７の回転軸には無端の日付印字ベルト１９が巻回されており、ダイアル１７を回動操作することで日付印字ベルト１９が周回し、日付印字部１９Ｄの数字がゴム印面１１の長孔部１３に順次変動表示される。すなわち、所望の年月日数字の日付印字部１９を長孔部１３に表示させて印字日付の設定をすることができる。
【００４１】
なお、印字日付の変更設定後は、日付印本体１０及び内枠体２０を外筒３０の中に押し戻し、その状態でキャップ７０を「日付変更ロック解除位置」から「捺印位置」に回動操作することにより、日付印判１を簡単に初期状態（図９（ａ）参照）に復帰させることができる。
【符号の説明】
【００４２】
１  日付印判
１０  日付印本体
１１  ゴム印面
１２  角筒部
１３  長孔部
１４  上円筒部（第一筒部）
１４１ａ〜１４１ｄ  縦長外溝
１６  コイルバネ
１７  ダイアル
１８  芯体
１８ａ  フランジ部
１９  日付印字ベルト
１９Ｄ  日付印字部
２０  内枠体
２１  短円筒部（第四筒部）
２１Ａ  バネ受面部
２１１ａ、２１１ｂ  上内周溝
２１２ａ、２１２ｂ  下内周溝
２１３ａ、２１３ｂ  縦内溝
２２  環状端部
２３  連結部
３０  外筒
３１  切欠部
４０  中筒部材（第三筒部）
４１ａ、４１ｂ  縦長突起部
４２ａ、４２ｂ  縦内溝
５０  コイルバネ
６０  ロータリヘッド
６１  皿型フランジ部
６２  円筒部（第二筒部）
６３ａ、６３ｂ  縦長突起部
６４ａ〜６４ｄ  内短突起部
６５  凸片部
７０  キャップ
７１  切欠部
８０  筒型カバー部
９０  開閉部
９１  インキパッドホルダ
９２  インキパッド
９３  ヒンジ部
【図１】
2019119047.tif 000003
【図２】
2019119047.tif 000004
【図３】
2019119047.tif 000005
【図４】
2019119047.tif 000006
【図５】
2019119047.tif 000007
【図６】
2019119047.tif 000008
【図７】
2019119047.tif 000009
【図８】
2019119047.tif 000010
【図９】
2019119047.tif 000011
【図１０】
2019119047.tif 000012
【図１１】
2019119047.tif 000013
【図１２】
2019119047.tif 000014
【図１３】
2019119047.tif 000015
【図１４】
2019119047.tif 000016
【図１５】
2019119047.tif 000017
【図１６】
2019119047.tif 000018
【図１７】
2019119047.tif 000019
【図１８】
2019119047.tif 000020
【図１９】
2019119047.tif 000021
【図２０】
2019119047.tif 000022
【図２１】
2019119047.tif 000023